(57)【特許請求の範囲】
【請求項１】
証券を印刷して発行する証券発行装置と、この証券の真偽を検証する証券検証装置とからなる証券発行処理システムであって、
前記証券発行装置は、
証券毎に異なる証券番号を含む印刷データを証券の券面に印刷する印刷手段と、
内部にホログラム情報を格納したホログラムを前記証券の券面に貼付けるホログラム貼付手段と、
前記ホログラム貼付手段により前記証券の券面に貼付けられたホログラムからホログラム情報を読み取る第１のホログラム読取手段と、
前記第１のホログラム読取手段により読み取られたホログラム情報と、前記印刷手段により前記証券に印刷された証券番号とを対応づけて証券発行情報として記憶する証券発行情報記憶手段と、
を備え、
前記証券検証装置は、
検証する証券の券面に貼付されたホログラムからホログラム情報を読み取る第２のホログラム読取手段と、
前記検証する証券の券面に印刷された証券番号を読み取る証券番号読取手段と、
前記証券番号読取手段に読み取られた証券番号に基づいて、前記証券発行装置の前記証券発行情報記憶手段に前記証券番号に対応づけて記憶された当該証券のホログラム情報を検索し、この検索したホログラム情報と前記第２のホログラム読取手段により読み取られた当該証券のホログラム情報とを照合して前記検証する証券の真偽を判別するホログラム情報照合手段と、
を備えたことを特徴とする証券発行処理システム。
【発明の詳細な説明】
【０００１】
【発明の属する技術分野】
本発明は、手形や小切手等の証券を印刷発行する証券発行装置と、その証券の真偽を判別する証券読取装置とからなる証券発行処理システムに関する。
【０００２】
【従来の技術】
従来の金融機関の事務センター等において行われている手形帳、小切手帳の発行業務に利用されている証券発行装置では、その証券の券面に必要事項を印刷するページプリンタと、その券面に印刷されたＭＩＣＲ（Magnetic Ink Character Recognition：磁気インキ文字読取用字体）を読み取る磁気読取装置用エンコーダ装置を一体化している。この証券発行装置で使用されているページプリンタは、通常の一般に使用しているものと同等の性能を有するものである。また、ＭＩＣＲエンコーダのユニット部分は、通常銀行等で使用されている手形、小切手の金額印字を行う単体のＭＩＣＲエンコーダ装置と同じものである。
【０００３】
このような証券発行装置は、印刷スピードとランニングコストを得るため手形小切手用紙を上下２連式のものを使用し、ページプリンタにおいてその用紙の券面に必要事項を印刷した後、その上下を２つにカットし、カット後にドットインパクト方式にてＭＩＣＲ文字を刻み印字するという方式をとっている。また、その証券発行装置の排紙スタッカは２組２種類のものが設けられており、その一つはノーマルスタッカで、正常に印刷されたものを蓄え、もう一つはエラースタッカで、何らかのエラーが発生したものを蓄えるもので、該当券は書損として廃棄されるものである。
【０００４】
【発明が解決しようとする課題】
しかしながら、このような従来の証券発行装置にあっては、手形・小切手の要件（手形・小切手として成立するための記載必要項目と内容：手形・小切手法にて定められている）印刷はページプリンタによって行い、ＭＩＣＲ文字印字はドットインパクト方式のＭＩＣＲエンコーダによって刻み印字している。また、その他の同様なシステムにおいてもページプリンタがドットプリンタに置き換わった構成である。
【０００５】
また、銀行から発行され、顧客が振り出した手形・小切手は、流通段階や不正入手により改ざん、偽造されるケースがある。これらのケースからセキュリティを確保するため、一般的に行われているのが手形・小切手用紙自体に透かしを入れる例であるが、最近では銀行が発行する手形・小切手のうち自己宛小切手に関しては、小切手印刷後にホログラムを貼付する例もでてきている。
【０００６】
しかし、手形・小切手の印刷後、ホログラムを貼付するという形態では、手形・小切手が最終的に発行されるまでに係る業務が煩雑になる他、そのためにホログラム貼付前の手形・小切手を一括して印刷し、その後一括して貼付する形態が取られているため、必要発行量以上の手形・小切手を、ホログラム貼付前後に関わらず、重要物として厳重に保管しなければならない等の問題がある。また、同一のホログラムを貼付するのみでは、ホログラム自体の改ざん等で偽造される恐れもある。
【０００７】
本発明の課題は、手形・小切手等の証券の印刷処理と、ホログラムの貼付処理を一元化し、証券発行処理の効率化と、ホログラム自体の改ざん、偽造を防止可能な証券発行処理システムを提供することである。
【０００８】
【課題を解決するための手段】
請求項１記載の発明は、証券を印刷して発行する証券発行装置と、この証券の真偽を検証する証券検証装置とからなる証券発行処理システムであって、前記証券発行装置は、  証券毎に異なる証券番号を含む印刷データを証券の券面に印刷する印刷手段と、内部にホログラム情報を格納したホログラムを前記証券の券面に貼付けるホログラム貼付手段と、前記ホログラム貼付手段により前記証券の券面に貼付けられたホログラムからホログラム情報を読み取る第１のホログラム読取手段と、前記第１のホログラム読取手段により読み取られたホログラム情報と、前記印刷手段により前記証券に印刷された証券番号とを対応づけて証券発行情報として記憶する証券発行情報記憶手段と、を備え、前記証券検証装置は、検証する証券の券面に貼付されたホログラムからホログラム情報を読み取る第２のホログラム読取手段と、前記検証する証券の券面に印刷された証券番号を読み取る証券番号読取手段と、前記証券番号読取手段に読み取られた証券番号に基づいて、前記証券発行装置の前記証券発行情報記憶手段に前記証券番号に対応づけて記憶された当該証券のホログラム情報を検索し、この検索したホログラム情報と前記第２のホログラム読取手段により読み取られた当該証券のホログラム情報とを照合して前記検証する証券の真偽を判別するホログラム情報照合手段と、を備えたことを特徴とする。
【００１１】
【発明の実施の形態】
以下、図１〜図１０を参照して本発明を適用した証券発行処理システムの、実施の形態を詳細に説明する。
【００１２】
まず、構成を説明する。
【００１３】
本実施の形態の証券発行処理システムは、後述する図６（ｂ）と、図７に示す通り、証券を発行処理する証券発行システム１００と、発行済み証券の真偽を判別する証券検証システム２００と、証券の各種データと、後述するホログラムのランダムデータを保存するホストコンピュータ３００とで構成される。初めに、証券発行システム１００について説明する。
【００１４】
図１は、本実施の形態における証券発行システム１００の全体の概略構成を示す図である。この図１において、証券発行システム１００は、証券認証処理装置１０及びＭＩＣＲトナープリンタ２０の各動作を制御及び管理するコンピュータシステム１と、証券認証処理装置１０と、ＭＩＣＲトナープリンタ２０と、から構成されており、コンピュータシステム１と証券認証処理装置１０とは、ケーブルＣ１により接続され、コンピュータシステム１とＭＩＣＲトナープリンタ２０とは、ケーブルＣ２により接続されている。
【００１５】
この図１において、コンピュータシステム１は、その機能的構成を図２に示すブロック図のように、ＣＰＵ２、表示装置３、入力装置４、ＲＡＭ５、記憶装置６、記憶媒体７及び通信装置８により構成されており、記憶媒体７を除く各部はバス９により相互に接続されている。また、バス９には上記各ケーブルＣ１、Ｃ２を介して証券認証処理装置１０と、ＭＩＣＲトナープリンタ２０と、が接続されている。
【００１６】
ＣＰＵ（Central Processing Unit ）２は、記憶装置６内に格納された証券印刷プログラムに従って証券印刷処理を実行し、記憶装置６内に格納された各種データを取得して、ＭＩＣＲトナープリンタ２０における用紙券面への印刷データや制御信号をバス９及びケーブルＣ２を介してＭＩＣＲトナープリンタ２０に出力する。
【００１７】
また、ＣＰＵ２は、記憶装置６内に格納された証券認証プログラムに従って証券認証処理を実行して、証券認証処理装置１０内の各部における動作の監視や制御のため、各種制御信号をバス９及びケーブルＣ１を介して証券認証処理装置１０に出力するとともに、証券認証処理装置１０から入力されるＭＩＣＲ文字や印刷イメージから証券の印刷が正しく、鮮明に行われたか判別する。また、ＣＰＵ２は、証券認証処理装置１０から入力される後述するランダムデータと上記証券印刷処理にて証券に印刷された各種データとを併せ、通信装置８から通信回線を介して、後述する全銀ホストコンピュータ３００へ出力する。
【００１８】
表示装置３は、ＣＰＵ２から入力される各種表示データを表示し、例えば、上記ＣＰＵ２により実行される証券印刷処理や証券認証処理に必要な各種パラメータを入力する入力画面、その各処理工程を示す処理工程画面、あるいは各処理工程において発生するエラー内容等を表示する。
【００１９】
入力装置４は、上記ＣＰＵ２により実行される証券印刷処理および証券認証処理に必要な各種パラメータを入力するとともに、その証券印刷処理および証券認証処理の起動停止を指示入力し、その各種信号をＣＰＵ２に出力する。
【００２０】
ＲＡＭ（Random Access Memory）５は、上記ＣＰＵ２により実行される証券印刷処理および証券認証処理に必要なファイル及びパラメータを格納するメモリエリアを形成すると共に、ＣＰＵ２が上記証券印刷処理を実行する際に、記憶装置６から取得する各種データや、証券認証処理装置１０から入力されるランダムデータ等を展開するメモリエリアを形成する。
【００２１】
記憶装置６は、プログラムやデータ等が予め記憶されている記憶媒体７を有しており、この記憶媒体７は磁気的、光学的記憶媒体、若しくは半導体メモリで構成されている。この記憶媒体７は記憶装置６に固定的に設けたもの、若しくは着脱自在に装着するものであり、上記証券印刷処理プログラムや、上記証券認証処理プログラムの他、各種処理プログラムで処理されたデータ等を記憶する。
【００２２】
また、この記憶媒体７に記憶するプログラム、データ等は、通信装置８により公衆回線網等の通信回線を介して接続された他の機器から入力して記憶する構成にしてもよく、更に、通信回線を介して接続された他の機器側に上記記憶媒体を備えた記憶装置を設け、この記憶媒体７に記憶されているプログラム、データを通信装置８及び通信回線を介して使用する構成にしてもよい。また、通信装置８は、通信回線を介して全銀ホストコンピュータ３００と接続されており、ＣＰＵ２によって後述するホログラムのランダムデータと証券データが送信される。
【００２３】
また、図１において、証券認証処理装置１０の内部は、カール矯正機構１１、スリッタ機構１２、印刷券面チェック機構１３、ホログラム貼付ユニット１４、ホログラムデータ読取ユニット１５及びスタック機構１６により構成されている。
【００２４】
カール矯正機構１１は、ＭＩＣＲトナープリンタ２０から印刷後に排紙される手形・小切手用紙のカール状態を矯正してスリッタ機構１２に排紙する。
【００２５】
スリッタ機構１２は、その内部にスリッタ（図示せず）を備え、カール矯正機構１１からカール状態矯正後に排紙される、手形・小切手の券面を印刷した用紙を、スリッタによりカットして証券１枚ずつに分離し、印刷券面チェック機構１３内の走行経路に排紙する。
【００２６】
印刷券面チェック機構１３は、その内部に用紙搬送機構を有する用紙搬送経路を備え、ホログラム貼付ユニット１４に排紙すると共に、搬送中に、用紙搬送経路上に設けられたＭＩＣＲリーダ（図示しない）と、イメージリーダ（図示しない）により、各手形・小切手に印刷されたＭＩＣＲ文字及び印刷イメージをそれぞれ読み取り、ケーブルＣ１を介してコンピュータシステム１にそれぞれ出力する。
【００２７】
ホログラム貼付ユニット１４は、証券認証処理装置１０に脱着可能なユニット構成となっており、詳細は後述するが、その内部にホログラム貼付ユニット１４を制御するユニットコントロール装置１４１と、用紙搬送機構を有する用紙搬送経路を備え、ホログラム読取ユニット１５に排紙すると共に、用紙搬送経路上に設けられたヘッド１４６等により、手形・小切手１枚毎にホログラムを貼付する。このホログラムには、詳細説明は省略するが、公知のホログラムの手法、例えばオフアクシスホログラフィー法等により予めランダムな数値データが格納されている。このホログラム１つずつのランダムな数値データをランダムデータと呼ぶこととする。
【００２８】
ホログラムデータ読取ユニット１５は、証券認証処理装置１０に脱着可能なユニット構成となっており、詳細は後述するが、その内部に用紙搬送機構を有する用紙搬送経路を備え、スタック機構１６に排紙すると共に、搬送中に用紙搬送経路上に設けられたホログラム読取部１５３により、貼付されたホログラムから上記ランダムデータを読み取り、ケーブルＣ１を介してコンピュータシステム１に出力する。
【００２９】
スタック機構１６は、その内部に用紙搬送機構を有する用紙搬送経路と、この用紙搬送経路を搬送される手形・小切手を、その段毎に正常処理券、エラー処理券として２段に備えるスタッカを手形と小切手の券毎に備える。
【００３０】
図３は、ホログラム貼付ユニット１４と、ホログラム読取ユニット１５それぞれの側面、およびユニットコントロール装置１４１の機能ブロックを示す図であり、この図を参照して、ホログラム貼付ユニット１４とホログラム読取ユニット１５を詳細に説明する。
【００３１】
ホログラム貼付ユニット１４は、ホログラム貼付ユニット１４の各機器を制御するユニットコントロール装置１４１と、用紙搬送制御部１４１ａに制御され、ホログラム貼付用の定位置に手形・小切手を搬送する搬送ローラ１４２及び用紙位置センサ１４３と、ヒータ制御部１４１ｂに制御され、ホログラム貼付用の一定温度に保つヒータ１４４及び温度センサ１４５と、ヘッド制御部１４１ｃに制御され、貼付用ホログラムテープ１４９を押圧してそれぞれの手形・小切手の券面上に１枚ずつホログラムを貼付するヘッド１４６と、ホログラム供給制御部１４１ｄに制御され、貼付用ホログラムテープ１４９を巻き上げて規定位置にセットするリール１４７と、ヒータ１４４と温度センサ１４５を内部に構成する台座１４８と、から構成されている。
【００３２】
また、ユニットコントロール装置１４１は、用紙搬送を制御する用紙搬送制御部１４１ａと、ホログラムの貼付に要する温度を制御するヒータ制御部１４１ｂと、貼付用ホログラムテープ１４９を押圧し、ホログラムを貼付するヘッド１４６を制御するヘッド制御部１４１ｃと、シール状の貼付用ホログラムテープ１４９の位置を制御し、ホログラムを供給するホログラム供給制御部１４１ｄと、から構成され、ケーブルＣ１４により各機器と接続されている。
【００３３】
これらの各制御部は、コンピュータシステム１のＣＰＵ２から制御動作開始の信号が入力されると、各制御部それぞれが独立して各機器の制御を開始し、制御状態の信号を適宜ＣＰＵ２に出力する。また、各制御部は、ＣＰＵ２から制御動作停止の信号が入力されると、各機器の制御を停止する。
【００３４】
ホログラム読取ユニット１５は、搬送ローラ１５１と、貼付されたホログラムに光を照射する発光部１５２と、ホログラムに反射された光からランダムデータを読み取る読取部１５３と、から構成される。発光部１５２は、ホログラム再生するために必要な、ランダムデータを格納した特定のホログラム手法の当該参照波を照射し、読取部１５２は、当該手法に基づいてランダムデータを読み出し、読み出したランダムデータを、ケーブルＣ１を介してコンピュータシステム１に出力する。
【００３５】
貼付用ホログラムテープ１４９は、上記特定のホログラム手法によりランダムデータを予め格納済みの複数のホログラムをシール状のテープにしたもので、ヘッド１４６により押圧され、手形・小切手の券面上に１枚ずつ貼付される。
【００３６】
ここで、本実施の形態において上記ＣＰＵ２の証券印刷処理により印刷された小切手の券面印刷例を図４に、さらに、証券認証処理によりホログラムを貼付された小切手の例を図５に示す。図５において、銀行のロゴマークがホログラムとなっており、このマーク内にランダムデータが格納されている。
【００３７】
図６（ａ）は、全銀ホストコンピュータ３００の証券データ格納フォーマット３０を、図６（ｂ）は、証券データが全銀ホストコンピュータ３００に格納される様子を、図７は、証券検証システム２００が証券データを全銀ホストコンピュータ３００に問い合わせる様子を示す図であり、これらの図を参照して、全銀ホストコンピュータ３００及び証券検証システム２００それぞれの構成を説明する。
【００３８】
図６（ｂ）及び図７において、全銀ホストコンピュータ３００は、後述する証券データを格納するデータベースシステムであり、公知のデータベースシステムのため、詳細説明は省略する。全銀ホストコンピュータ３００は、図示しないＣＰＵ、ＲＡＭ、表示装置、入力装置、記憶装置、記憶媒体、及び通信装置から構成されており、この通信装置を介して通信回線により、各銀行に設置された証券発行システム１００及び証券検証システム２００と接続されている。また、ＣＰＵは、この通信装置を介して各銀行に配置された証券発行システム１００から入力される証券データを、後述する証券データ格納フォーマット３０に従って、記憶装置、若しくは記憶媒体内に格納し、各銀行に配置された証券検証システム２００から後述する証券データの問い合わせ要求があった場合は、当該証券データを選出し、証券検証システム２００へ出力する。
【００３９】
次に、データ格納フォーマット３０について説明する。図６（ａ）において、データ格納フォーマット３０は、「銀行コード」、「支店コード」、「口座番号」、「顧客名」、「ホログラムデータ」、「手形・小切手番号」をフィールドとし、手形・小切手１枚づつのデータをレコードとしたデータベース構造となっている。また、各フィールドのデータ型は予め設定されており、例えば「銀行コード」は数字４桁、「支店コード」は数字３桁、「口座番号」は数字１２桁、「顧客名」は全角文字２０桁、「ホログラムデータ」は数字７桁、「手形・小切手番号」は半角英字２桁＋数字４桁となっている。
【００４０】
また、格納されるデータは、「銀行コード」は各銀行毎に固有の異なる番号であり、「支店コード」はその銀行の各支店毎に異なる番号であり、「口座番号」は手形・小切手の振出人の口座番号であり、「顧客名」は手形・小切手の振出人であり、「ホログラムデータ」はそれぞれの手形・小切手１枚づつに貼付されるホログラムに格納されたランダムデータであり、「手形・小切手番号」は当該手形券、若しくは小切手券の券面番号である。このデータ格納フォーマット３０に格納されるデータを証券データと呼ぶこととする。
【００４１】
次に、証券検証システム２００の構成を説明する。
【００４２】
図７において、証券検証システム２００は、証券リーダ２１０により読み取られたＭＩＣＲ文字およびホログラムのランダムデータを全銀ホストコンピュータ３００に問い合わせることにより、証券の真偽を判別するコンピュータシステム２０１と、証券リーダ２１０と、から構成されており、コンピュータシステム２０１と証券リーダ２１０とは、証券リーダ読取信号ケーブルＣ３により接続されている。
【００４３】
この図７において、コンピュータシステム２０１は、その機能的構成を図８に示すブロック図のように、ＣＰＵ２０２、表示装置２０３、入力装置２０４、ＲＡＭ２０５、記憶装置２０６、記憶媒体２０７、及び通信装置２０８により構成されており、記憶媒体２０７を除く各部はバス２０９により相互に接続されている。また、バス２０９には、証券リーダ読取信号ケーブルＣ３を介して証券リーダ２１０が接続されており、証券リーダ２１０は、ホログラム読取装置２１０ａと、ＭＩＣＲ読取装置２１０ｂと、により構成されている。
【００４４】
コンピュータシステム２０１の各部は、証券発行システム１００のコンピュータシステム１と同様であるため、異なる箇所のみを説明する。
【００４５】
ＣＰＵ２０２は、記憶装置２０６内に格納された証券検証プログラムに従って処理を実行して、証券リーダ２１０から入力されるＭＩＣＲ文字データと、ホログラムのランダムデータを、ＲＡＭ２０５上に格納した上、ＭＩＣＲ文字データから手形・小切手番号を判別して、その手形・小切手番号及び問い合わせ信号を通信装置２０９、及び通信回線を介して全銀ホストコンピュータ３００に出力し、当該証券データの問い合わせを行う。問い合わせ後、全銀ホストコンピュータから入力される証券データの内のランダムデータと、上記ＲＡＭ２０５上に格納されたランダムデータとを比較することで、証券の真偽を判別する。
【００４６】
証券リーダ２１０は、ホログラム読取装置２１０ａと、ＭＩＣＲ読取装置２１０ｂと、から構成されている。ホログラム読取装置２１０ａは、図示しない発光部と、受光部とから構成され、発光部は手形・小切手に貼付されているホログラムに、ホログラム再生に必要な、ランダムデータを格納した特定のホログラム手法の当該参照波を照射し、受光部はその反射光から当該手法に基づいてランダムデータを読み出し、証券リーダ読取信号ケーブルＣ３を介してコンピュータシステム２０１に出力する。
【００４７】
ＭＩＣＲ読取装置２１０ｂは、手形・小切手に印刷されたＭＩＣＲ文字を読み取り、その読み取ったＭＩＣＲ文字データを証券リーダ読取信号ケーブルＣ３を介してコンピュータシステム２０１に出力する。
【００４８】
次に、動作を説明する。
【００４９】
図９は、ホログラム貼付ユニット１４と、ホログラムデータ読み取りユニット１５に係る証券認証処理を示すフローチャートである。
【００５０】
上記コンピュータシステム１内のＣＰＵ２により実行される証券認証処理の内、ホログラム貼付ユニット１４と、ホログラムデータ読み取りユニット１５に係る処理について、この図９に基づいて説明する。
【００５１】
まず、ＣＰＵ２は、証券認証処理に係る各部の電源をＯＮとし、ユニットコントロール装置１４１の用紙搬送制御部１４１ａ、ヒータ制御部１４１ｂ、ヘッド制御部１４１ｃ、ホログラム供給制御部１４１ｄに制御開始の信号を出力する（ステップＳ１０１）。またＣＰＵ２は、制御開始信号を出力した後、各制御部から入力される処理状態の信号に応じて、適宜各制御部に制御動作の開始／停止の信号を出力し、各制御部はこの信号に応じて制御動作を開始／停止する。
【００５２】
ＣＰＵ２から制御開始の信号が入力されたヒータ制御部１４１ｂは、ヒータ１４４と温度センサ１４５の温度制御を開始する（ステップＳ１０２）。同じくＣＰＵ２から制御開始の信号が入力された用紙搬送制御部１４１ａは、前処理である印刷券面チェック機構１３から手形・小切手が排紙されたか確認し（ステップＳ１０３）、印刷済みの手形・小切手が排紙されていない場合はＣＰＵ２にその旨の信号を出力し、さらに、ＣＰＵ２は、処理終了であれば（ステップＳ１０４）、各制御部に制御終了の信号を出力した上、電源をＯＦＦとし（ステップＳ１０５）、証券認証処理を終了する。処理終了でない場合（ステップＳ１０４）は、ステップＳ１０３に戻り、用紙搬送制御部１４１ａは、手形・小切手が排紙されるまで待機する。
【００５３】
手形・小切手が排紙された場合（ステップＳ１０３）、用紙搬送制御部１４１ａは、手形・小切手を搬送し（ステップＳ１０６）、規定位置までステップＳ１０６の用紙搬送を行い（ステップＳ１０７）、規定位置まで搬送した後（ステップＳ１０７）、搬送を停止（ステップＳ１０８）する。次にヘッド制御部１４１ｃは、ヘッド１４６をヘッドダウンさせ（ステップＳ１０９）、貼付用ホログラムテープ１４９を手形・小切手に規定時間押圧した後（ステップＳ１１０）、ヘッド１４６をヘッドアップさせる（ステップＳ１１１）。
【００５４】
次に、ホログラム供給制御部１４１ｄは、貼付用ホログラムテープ１４９を予め設定された一定量巻き上げ、次に貼付するホログラムの位置に貼付用ホログラムテープ１４９をセットする（ステップＳ１１２）。その後、用紙搬送制御部１４１ａは、手形・小切手をホログラムデータ読取ユニット１５に排紙し、ホログラムデータ読取ユニット１５の搬送ローラ１５１は、ホログラムのランダムデータを読み取るための規定位置に手形・小切手を搬送する（ステップＳ１１３）。
【００５５】
発光部１５２は、規定位置に搬送された手形・小切手にホログラム再生のための参照波を照射し、読取部１５３は、ホログラム内に格納されたランダムデータを読み取る（ステップＳ１１４）。読取部１５３は、読み取ったランダムデータをＣＰＵ２に出力し（ステップＳ１１５）、ステップＳ１０３へ戻る。以上のステップＳ１０３からステップＳ１１５までを繰り返すことにより、全ての手形・小切手にホログラムを貼付し、そのランダムデータをＣＰＵ２に出力する。
【００５６】
次に、ＣＰＵ２により実行される証券認証処理により、全銀ホストコンピュータ３００に証券データが格納される際の証券データのフローを、図６（ｂ）を参照して説明する。
【００５７】
コンピュータシステム１のＣＰＵ２は、ＭＩＣＲトナープリンタ２０および証券認証処理装置１０にて発行された手形・小切手１枚ずつの「銀行コード」、「支店コード」、「口座番号」、「顧客名」、「ホログラムデータ」、「手形・小切手番号」を証券データとして全銀ホストコンピュータ３００へ出力する。同様に、証券発行システム１００をそれぞれ配置した各銀行の当該ＣＰＵ２は、発行された手形・小切手の証券データを全銀ホストコンピュータ３００へ出力する。
【００５８】
全銀ホストコンピュータ３００は入力されたこれらの証券データを上記データ格納フォーマット３０に従って、記憶装置若しくは記憶媒体内に順次格納する。
【００５９】
次に、上記コンピュータシステム２０１のＣＰＵ２０２により実行される証券検証処理について、図１０に示す証券検証処理フローチャートに基づいて説明する。
【００６０】
まず、証券リーダ２１０のホログラム読取装置２１０ａは、貼付された手形・小切手のホログラムに格納されたランダムデータを読み取り、ＣＰＵ２０２にこのランダムデータを出力する（ステップＳ２０１）。次にＭＩＣＲ読取装置２１０ｂは、手形・小切手のＭＩＣＲ文字を読み取り、読み取り結果をＣＰＵ２０２に出力する（ステップＳ２０２）。
【００６１】
ＣＰＵ２０２は、受信したＭＩＣＲ文字の読み取り結果から手形・小切手番号を判別し（ステップＳ２０３）、通信装置２０８を介して全銀ホストコンピュータ３００にこの手形・小切手番号と、この手形・小切手番号に該当するランダムデータを問い合わせる信号を出力する（ステップＳ２０４）。
【００６２】
全銀ホストコンピュータ３００は、この手形・小切手番号及び問い合わせ信号が入力されると、当該証券データを検索し、当該証券データの有無を通知する通知信号と、当該証券データを証券検証システム２００に出力する。この通知信号が入力されたＣＰＵ２０２は、当該証券データがあるのであれば（ステップＳ２０５）、さらに当該証券データを全銀ホストコンピュータ３００から入力し（ステップＳ２０６）、無い場合は、読み取った手形・小切手はエラー証券として処理を終了する。
【００６３】
また、当該証券データが入力された後、ＣＰＵ２０２は、ステップＳ２０１にて読み取ったランダムデータと、入力された当該証券データ内のランダムデータを比較し（ステップＳ２０７）、同一であれば、正常な証券として処理を終了し、一致しなければエラー証券として処理を終了する。
【００６４】
次に、上記ＣＰＵ２０２により実行される証券検証処理に係る証券データのフローを、図７を参照して説明する。
【００６５】
まず、各銀行に持ち込まれた手形・小切手は、証券検証システム２００の証券リーダ２１０によってＭＩＣＲ文字とランダムデータが読み取られ、ＣＰＵ２０２に出力される。ＣＰＵ２０２は、このＭＩＣＲ文字から手形・小切手番号を判別し、この手形・小切手番号と、問い合わせ信号を全銀ホストコンピュータ３００に出力する。この信号が入力された全銀ホストコンピュータ３００は当該証券データを検索し、当該証券データの有無、及び当該証券データをＣＰＵ２０２に出力し、ＣＰＵ２０２は、入力された当該証券データの内のランダムデータと、証券リーダ２１０により読み取られたランダムデータとを比較することにより、手形・小切手の真偽を判別する。
【００６６】
同様に、証券検証システム２００をそれぞれ配置した各銀行の当該ＣＰＵ２０２は、証券検証処理を実行し、全銀ホストコンピュータ３００へ読み取った手形・小切手番号の当該ランダムデータを問い合わせ、全銀ホストコンピュータ３００から入力される当該証券データの有無、及び、当該証券データの内のランダムデータと読み取ったランダムデータとの比較を行って手形・小切手の真偽を判別する。
【００６７】
以上のように、本実施の形態の証券発行処理システムは、証券発行システム１００と、証券検証システム２００と、全銀ホストコンピュータ３００により構成され、証券発行システム１００は、手形・小切手の券面を印刷後、ランダムデータを格納したホログラムを券面に貼付するホログラム貼付ユニット１４と、このランダムデータを読み取るホログラムデータ読取ユニット１５とを備え、発行した手形・小切手の証券データとランダムデータを全銀ホストコンピュータ３００に出力する。全銀ホストコンピュータ３００は、手形・小切手の証券データとランダムデータを保存し、証券検証システム２００は、手形・小切手のＭＩＣＲ文字及びランダムデータを読み取って、全銀ホストコンピュータ３００に当該ランダムデータの問い合わせを行い、手形・小切手の真偽を判別する。
【００６８】
従って、手形・小切手の印刷とホログラム貼付を一元化することができ、ホログラム貼付前の手形・小切手を一括して印刷し、その後一括して貼付する必要がなく、発行量に即した手形・小切手の発行が可能であるため、手形・小切手が最終的に発行されるまでに係る業務を簡略化でき、証券発行処理を効率化すると共に、ホログラム貼付前後に発行していた必要発行量以上の手形・小切手の管理を省略することができる。
【００６９】
また、ホログラム貼付ユニット１４及びホログラム読取ユニット１５は、証券認証処理装置１０に脱着可能であるため、未発行時は、このユニットを外し、別途保管することにより、ホログラム自体のセキュリティが確保できる。また、ホログラムは貼付された時点で、そのランダムデータと、手形・小切手の券面番号が対応づけられ、かつ、そのデータが全銀ホストコンピュータ３００に格納されるため、証券発行システム１００内のセキュリティが確保でき、ホログラム自体の改ざん、偽造を防止することができる。
【００７０】
なお、本実施の形態では、ホログラム貼付ユニット１４はヘッド１４６が１つのみの構成として説明したが、ヘッド１４６やリール１４７等を複数装備し、同時に複数の手形・小切手にホログラムを貼付する構成としてもよく、その場合は、発行する手形・小切手の券種に応じたホログラムテープ１４９をリール１４７にセットし、それぞれのヘッド１４６で貼付することができるため、多種多様な運用に対応することが可能である。
【００７１】
また、ホログラム貼付ユニット１４及びホログラム読取ユニット１５の脱着用にそれぞれ専用の鍵を装備し、証券認証処理装置１０にそれぞれのユニットを装着する際は、必ず施錠する構成としてもよく、その場合は、証券発行システム１００の操作許可者以外の着脱に対するセキュリティも確保することができる。
【００７２】
【発明の効果】
請求項１記載の発明によれば、証券の印刷処理と、ホログラムを券面に貼付する処理を一元化し、ホログラムが証券の券面に貼り付けられる時点で、証券に貼り付けられたホログラムのホログラム情報と当該証券に印刷された証券番号とを対応づけて証券発行情報として記憶されるため、銀行に持ち込まれた証券を検証する際に、ホログラム情報に基づいて証券の真偽を判別でき、証券の偽造を防止することができる。
【図面の簡単な説明】
【図１】本発明を適用した証券発行システム１００の全体の概略構成を示す図。
【図２】図１の証券発行システム１００の全体の機能的構成を示すブロック図。
【図３】図１のホログラム貼付ユニット１４と、ホログラム読取ユニット１５それぞれの側面、およびユニットコントロール装置１４１の機能ブロックを示す図。
【図４】図２のＣＰＵ２の証券印刷処理により印刷され、ホログラムを貼付する前の小切手の券面印刷例を示す図。
【図５】図２のＣＰＵ２の証券印刷処理により印刷され、ホログラムを貼付された後の小切手の券面印刷例を示す図。
【図６】（ａ）は、全銀ホストコンピュータ３００の証券データ格納フォーマット３０を示す図。（ｂ）は、証券データが全銀ホストコンピュータ３００に格納される様子を示す図。
【図７】証券データが全銀ホストコンピュータ３００に問い合わせる様子を示す図。
【図８】図７の証券検証システム２００の全体の機能的構成を示すブロック図。
【図９】図３のホログラム貼付ユニット１４と、ホログラムデータ読み取りユニット１５に係る証券認証処理を示すフローチャート。
【図１０】図７の証券検証システム２００により実行される証券検証処理を示すフローチャート。
【符号の説明】
１００  証券発行システム
１    コンピュータシステム
２    ＣＰＵ
３    表示装置
４    入力装置
５    ＲＡＭ
６    記憶装置
７    記憶媒体
８    通信装置
９    バス
１０    証券認証処理装置
１１    カール矯正機構
１２    スリッタ機構
１３    印刷券面チェック機構
１４    ホログラム貼付ユニット
１４１    ユニットコントロール装置
１４１ａ    用紙搬送制御部
１４１ｂ    ヒータ制御部
１４１ｃ    ヘッド制御部
１４１ｄ    ホログラム供給制御部
１４２    搬送ローラ
１４３    用紙位置センサ
１４４    ヒータ
１４５    温度センサ
１４６    ヘッド
１４７    リール
１４８    台座
１４９    貼付用ホログラムテープ
１５    ホログラム読取ユニット
１５１    搬送ローラ
１５２    発光部
１５３    読取部
１６    スタック機構
２０    ＭＩＣＲトナープリンタ
２００  証券検証システム
２０１    コンピュータシステム
２１０    証券リーダ
３００  全銀ホストコンピュータ
３０    データ格納フォーマット
【図１】
0003867405.tif 000002
【図２】
0003867405.tif 000003
【図３】
0003867405.tif 000004
【図４】
0003867405.tif 000005
【図５】
0003867405.tif 000006
【図６】
0003867405.tif 000007
【図７】
0003867405.tif 000008
【図８】
0003867405.tif 000009
【図９】
0003867405.tif 000010
【図１０】
0003867405.tif 000011